(57)【要約】【課題】厚手の被乾燥物を確実に乾かすことができる除湿機を提供すること。【解決手段】除湿機は、送風装置の送風可能領域を構成する複数の単位領域それぞれの第一の表面温度を検知し、第一の表面温度と室内温度との差が第一の閾値よりも低い単位領域を乾燥対象エリアとし、乾燥対象エリアの各単位領域に対して、除湿空気の送風を開始し、送風を開始してから第一の時間経過後の乾燥対象エリアの各単位領域の第二の表面温度を検知し、第一の表面温度と第二の表面温度との差が相対的に小さい乾燥対象エリアの単位領域に送風される積算送風時間が、第一の表面温度と第二の表面温度との差が相対的に大きい乾燥対象エリアの単位領域に送風される積算送風時間よりも長くなるように積算送風時間を設定するものである。【選択図】図１
2020092780.tif 000002
【特許請求の範囲】
【請求項１】
通過する空気中の水分を除去する除湿装置と、
室内空気を吸い込み、前記除湿装置を通過後の除湿空気を室内に供給する送風装置と、
前記除湿空気の送風方向を変更する風向変更装置と、
表面温度を非接触で検知する表面温度検知部と、を備え、
前記送風装置の送風可能領域を構成する複数の単位領域それぞれの第一の表面温度を検知し、第一の表面温度と室内温度との差が第一の閾値よりも低い前記単位領域を乾燥対象エリアとし、前記乾燥対象エリアの各前記単位領域に対して、前記除湿空気の送風を開始し、送風を開始してから第一の時間経過後の前記乾燥対象エリアの各前記単位領域の第二の表面温度を検知し、第一の表面温度と第二の表面温度との差が相対的に小さい前記乾燥対象エリアの前記単位領域に送風される積算送風時間が、第一の表面温度と第二の表面温度との差が相対的に大きい前記乾燥対象エリアの前記単位領域に送風される積算送風時間よりも長くなるように積算送風時間を設定する
除湿機。
【請求項２】
通過する空気中の水分を除去する除湿装置と、
室内空気を吸い込み、前記除湿装置を通過後の除湿空気を室内に供給する送風装置と、
前記除湿空気の送風方向を変更する風向変更装置と、
表面温度を非接触で検知する表面温度検知部と、を備え、
前記送風装置の送風可能領域を構成する複数の単位領域それぞれの第一の表面温度を検知し、第一の表面温度と室内温度との差が第一の閾値よりも低い前記単位領域を乾燥対象エリアとし、前記乾燥対象エリアの各前記単位領域に対して、前記除湿空気の送風を開始し、送風を開始してから第一の時間経過後の前記乾燥対象エリアの各前記単位領域の第二の表面温度を検知し、第一の表面温度と第二の表面温度との差が相対的に小さい前記乾燥対象エリアの前記単位領域に送風される際の風量が、第一の表面温度と第二の表面温度との差が相対的に大きい前記乾燥対象エリアの前記単位領域に送風される際の風量よりも多くなるように風量を設定する
除湿機。
【請求項３】
通過する空気中の水分を除去する蒸発器と、
室内空気を吸い込み、前記蒸発器を通過後の除湿空気を室内に供給する送風装置と、
前記除湿空気の送風方向を変更する風向変更装置と、
表面温度を非接触で検知する表面温度検知部と、
前記蒸発器と配管で接続された圧縮機と、を備え、
前記送風装置の送風可能領域を構成する複数の単位領域それぞれの第一の表面温度を検知し、第一の表面温度と室内温度との差が第一の閾値よりも低い前記単位領域を乾燥対象エリアとし、前記乾燥対象エリアの各前記単位領域に対して、前記除湿空気の送風を開始し、送風を開始してから第一の時間経過後の前記乾燥対象エリアの各前記単位領域の第二の表面温度を検知し、第一の表面温度と第二の表面温度との差が相対的に小さい前記乾燥対象エリアの前記単位領域に送風される際の前記除湿空気の除湿量が、第一の表面温度と第二の表面温度との差が相対的に大きい前記乾燥対象エリアの前記単位領域に送風される際の前記除湿空気の除湿量よりも多くなるように圧縮機の回転数を設定する
除湿機。
【請求項４】
前記除湿空気の温度を検知する吹出空気温度検知部を備え、
前記乾燥対象エリアの各前記単位領域の風量または圧縮機の回転数が設定された後、第二の時間経過後の前記乾燥対象エリアの各前記単位領域の第三の表面温度を検知し、前記除湿空気の温度との差が第二の閾値よりも小さい前記単位領域を前記乾燥対象エリアから除外する
請求項２または３に記載の除湿機。
【請求項５】
前記乾燥対象エリアの設定を行うとともに、前記乾燥対象エリアの各前記単位領域に送風される積算送風時間、前記乾燥対象エリアの各前記単位領域に送風される風量、または、前記乾燥対象エリアの各前記単位領域に送風される際の圧縮機の回転数の設定を行う演算処理装置を備えた
請求項１〜４のいずれか一項に記載の除湿機。
【請求項６】
前記乾燥対象エリアの各前記単位領域の積算送風時間、風量、または、圧縮機の回転数が設定された後、前記乾燥対象エリアの各前記単位領域のうち、積算送風時間が相対的に長い前記単位領域、風量が相対的に多い前記単位領域、または、圧縮機の回転数が相対的に多い前記単位領域から順番に前記除湿空気の送風を行う
請求項１〜５のいずれか一項に記載の除湿機。
【発明の詳細な説明】
【技術分野】
【０００１】
本発明は、被乾燥物の有無を検知する除湿機に関するものである。
【背景技術】
【０００２】
除湿機は、室内湿度を下げることが本来の目的であるが、近年では洗濯後に室内に干された衣類を乾かすことを目的として使用されることが増えている。このような用途に対しては、水分を除去した除湿空気を濡れた衣類などの被乾燥物に集中して送風することで、乾燥時間を短縮することができる。
【０００３】
従来、被乾燥物を検知する方法として、送風方向にある物体の表面温度を検知する手段を備える除湿機が提案されている（例えば、特許文献１参照）。被乾燥物は、蒸発する水分に熱を奪われるため、乾く過程において表面温度が周囲の空気温度よりも低下する。特許文献１の除湿機は、この現象を利用して、周囲の空気温度よりも表面温度が低い領域を検知することで、その領域に被乾燥物が存在すると判定している。
【０００４】
特許文献１の除湿機は、被乾燥物を含む所定領域の表面温度を非接触で検知する表面温度検知部を備えており、表面温度検知部によって検知可能な領域を複数の単位領域に分割して、それぞれの単位領域の表面温度を検知し、表面温度マップを作る。また、この除湿機は、室内温度および室内湿度を検知し、この情報に基づいて表面温度の閾値を設定する。そして、単位領域において、閾値よりも表面温度が低い場合はその単位領域に被乾燥物が存在すると判定し、その被乾燥物が存在すると判定した単位領域に除湿空気を送風する。
【先行技術文献】
【特許文献】
【０００５】
【特許文献１】特開２０１１−２１４８２５号公報
【発明の概要】
【発明が解決しようとする課題】
【０００６】
濡れている被乾燥物は、その厚さによらず一様に表面温度が周囲の空気温度よりも低くなるが、厚手の被乾燥物の方が薄手の被乾燥物よりも乾きにくい。しかしながら、特許文献１に記載されているような従来の除湿機では、被乾燥物が未乾燥の状態において厚手か薄手かを見分けることができず、被乾燥物に対して厚手か薄手かに関わらず同じ条件で除湿空気が送風されていた。そのため、場合によっては厚手の被乾燥物が乾ききらない状態となるという課題があった。
【０００７】
本発明は、以上のような課題を解決するためになされたもので、厚手の被乾燥物を確実に乾かすことができる除湿機を提供することを目的としている。
【課題を解決するための手段】
【０００８】
本発明に係る除湿機は、通過する空気中の水分を除去する除湿装置と、室内空気を吸い込み、前記除湿装置を通過後の除湿空気を室内に供給する送風装置と、前記除湿空気の送風方向を変更する風向変更装置と、表面温度を非接触で検知する表面温度検知部と、を備え、前記送風装置の送風可能領域を構成する複数の単位領域それぞれの第一の表面温度を検知し、第一の表面温度と室内温度との差が第一の閾値よりも低い前記単位領域を乾燥対象エリアとし、前記乾燥対象エリアの各前記単位領域に対して、前記除湿空気の送風を開始し、送風を開始してから第一の時間経過後の前記乾燥対象エリアの各前記単位領域の第二の表面温度を検知し、第一の表面温度と第二の表面温度との差が相対的に小さい前記乾燥対象エリアの前記単位領域に送風される積算送風時間が、第一の表面温度と第二の表面温度との差が相対的に大きい前記乾燥対象エリアの前記単位領域に送風される積算送風時間よりも長くなるように積算送風時間を設定するものである。
【発明の効果】
【０００９】
本発明に係る除湿機によれば、除湿空気の送風を開始する前の第一の表面温度と前記除湿空気の送風を開始した後の第二の表面温度との差が相対的に小さい乾燥対象エリアの単位領域に送風される積算送風時間が、第一の表面温度と第二の表面温度との差が相対的に大きい乾燥対象エリアの単位領域に送風される積算送風時間よりも長くなるように積算送風時間を設定する。つまり、厚手の被乾燥物に対して薄手の被乾燥物よりも送風時間を長くするため、厚手の被乾燥物を確実に乾かすことができる。
【図面の簡単な説明】
【００１０】
【図１】本発明の実施の形態１に係る除湿機の横断面を示す模式図である。
【図２】本発明の実施の形態１に係る除湿機の除湿装置が蒸発器である場合の横断面を示す模式図である。
【図３】本発明の実施の形態１に係る除湿機の送風可能領域を説明する図である。
【図４】本発明の実施の形態１に係る除湿機によって厚さの異なる濡れた衣類に除湿空気を送風したときにおける各衣類の表面温度の変化を示す図である。
【図５】本発明の実施の形態１に係る除湿機による除湿運転の一例を示す第一のフローチャートである。
【図６】図５の第一のフローチャートにつながる第二のフローチャートである。
【図７】本発明の実施の形態２に係る除湿機による除湿運転の一例を示す第一のフローチャートである。
【図８】図７の第一のフローチャートにつながる第二のフローチャートである。
【図９】本発明の実施の形態３に係る除湿機による除湿運転の一例を示す第一のフローチャートである。
【図１０】図９の第一のフローチャートにつながる第二のフローチャートである。
【発明を実施するための形態】
【００１１】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１２】
実施の形態１．
図１は、本発明の実施の形態１に係る除湿機１００の横断面を示す模式図である。図２は、本発明の実施の形態１に係る除湿機１００の除湿装置３０が蒸発器３１である場合の横断面を示す模式図である。図３は、本発明の実施の形態１に係る除湿機１００の送風可能領域を説明する図である。
以下、本実施の形態１に係る除湿機１００の構造について、図１〜図３を用いて説明する。
【００１３】
本実施の形態１に係る除湿機１００は、室内空間に設置され、室内空間の除湿を行うものである。除湿機１００は、外郭を構成する本体１０を備えている。本体１０の内部には風路５２が形成されている。また、風路５２の入口である本体１０の側面には、吸気口５１が設けられており、風路５２の出口である本体１０の上面には、吹出口５３が設けられている。また、本体１０の内部の風路５２上には、送風装置２０と、除湿装置３０と、蓄水装置４０と、風向変更装置７０とが設けられている。
【００１４】
送風装置２０は、例えばファンであり、室内空気を吸気口５１から吸い込み、風路５２を通った後、吹出口５３から吹き出すものである。除湿装置３０は、例えば除湿剤または冷凍サイクル回路３５を構成する蒸発器３１であり、通過する空気中の水分をそれぞれ吸着または結露させて、水分を除去するものである。
【００１５】
なお、除湿装置３０として蒸発器３１が用いられる場合には、除湿機１００ａは図２に示すような構成となる。つまり、風路５２において蒸発器３１の下流側に凝縮器３２が設けられ、さらに、本体１０の内部に圧縮機３３および絞り装置３４が設けられている。そして、除湿機１００ａは、圧縮機３３、凝縮器３２、絞り装置３４、蒸発器３１が配管で順次接続され、冷媒が循環する冷凍サイクル回路３５を備えている。
【００１６】
蓄水装置４０は、例えばドレンパンであり、空気中の水分が結露した際に発生する結露水を回収するものである。風向変更装置７０は、例えばルーバーあり、吹き出す空気の方向を水平方向および垂直方向に変えるものである。
【００１７】
ここで、除湿装置３０として蒸発器３１が用いられる場合の、除湿機１００ａ内の空気の流れについて説明する。
送風装置２０が駆動すると、吸気口５１より室内空気が吸い込まれ、除湿装置３０へと送り込まれる。このとき、空気が蒸発器３１を通過する過程で熱を奪われて、室内温度Ｔｒよりも低い温度になり、飽和蒸気圧の低下とともに、蒸発器３１に水分が露着して、つまり結露して空気に含まれる水分が除去される。その後、蒸発器３１の下流側に設けられた凝縮器３２を通過する過程で空気が暖められるため、吹出口５３から吹き出される空気Ａは、室内温度Ｔｒと比べて温度が高くなる。
【００１８】
除湿装置３０を通過した除湿空気は、吹出口５３から室内へと吹き出される。このとき、吹出口５３に設けられた風向変更装置７０によって吹き出す空気の方向が変えられる。吹出口５３から吹き出された除湿空気は、室内空気と混ざりながら進むため、所定の領域に届くときの温度Ｔａ１は、吹出口５３の温度Ｔａ０と比べて低くなるが、室内温度Ｔｒよりは高い温度となる。
【００１９】
風向変更装置７０には、送風方向と同一方向を向くよう、表面温度検知部６１が設けられている。なお、表面温度検知部６１は、風向変更装置７０と一体ではなく、風向変更装置７０と別体で設けられていてもよい。また、風路５２上において、吸気口５１と除湿装置３０との間の位置には、温度検知部６２および湿度検知部６３が設けられている。また、風路５２上において、風向変更装置７０と送風装置２０との間の位置には、吹出空気温度検知部６４が設けられている。
【００２０】
表面温度検知部６１は、例えば赤外線センサであり、送風先にある物体の表面温度を検知するものである。温度検知部６２は、室内温度Ｔｒを検知するものである。湿度検知部６３は、室内湿度ＲＨを検知するものである。吹出空気温度検知部６４は、吹出口５３から室内へと吹き出される除湿空気温度Ｔｄａを検知するものである。
【００２１】
また、本体１０の内部には、記録装置８１、演算処理装置８２、および、計時装置８３が設けられている。記録装置８１は、例えばＲＯＭであり、各種情報を記憶するものである。
【００２２】
演算処理装置８２は、例えば、専用のハードウェア、またはメモリーに格納されるプログラムを実行するＣＰＵ（Central Processing Unit、中央処理装置、処理装置、演算装置、マイクロプロセッサ、マイクロコンピュータ、プロセッサともいう）で構成される。この演算処理装置８２は、図３に示すように、送風が可能な領域である送風可能領域（ＢＰＲ）を仮想的に複数の単位領域（ｘ、ｙ）（ＵＲ）に分割する。そして、送風装置２０および風向変更装置７０を制御することで、各単位領域（ｘ、ｙ）に対して除湿空気を順番に送風し、除湿空気を送風している間、表面温度検知部６１を用いて、対象単位領域（ｘ、ｙ）（ＴＲ）の表面温度を取得するものである。ここで、風向変更装置７０は、ある単位領域（ｘ、ｙ）に対して除湿空気が送風された後、その単位領域（ｘ、ｙ）からｘ方向またはｙ方向で隣となる単位領域（ｘ、ｙ）に除湿空気が送風されるように移動する。なお、対象単位領域（ｘ、ｙ）とは、表面温度の取得が行われる単位領域（ｘ、ｙ）のことである。また、図３に示すように、単位領域（ｘ、ｙ）および対象単位領域（ｘ、ｙ）のｘ、ｙは、それらの送風可能領域上のｘ座標およびｙ座標の位置を表している。
【００２３】
計時装置８３は、例えばタイマカウンタであり、時間を計測するものである。
【００２４】
ここで、記録装置８１、演算処理装置８２、および、計時装置８３は、本体１０の内部に設けられていなくてもよい。その場合、例えば除湿機１００に通信装置を設け、さらに除湿機１００と通信が可能な外部装置に記録装置８１、演算処理装置８２、および、計時装置８３を設けることで、通信装置を介してそれらの機能を実現することが考えられる。
【００２５】
図４は、本発明の実施の形態１に係る除湿機１００によって厚さの異なる濡れた衣類に除湿空気を送風したときにおける各衣類の表面温度の変化を示す図である。
次に、本発明の実施の形態１に係る除湿機１００によって厚手の濡れた衣類と薄手の濡れた衣類とに除湿空気を送風したときにおける各衣類の表面温度の変化について図４を用いて説明する。
【００２６】
濡れた衣類はその厚みに依らず蒸発する水分に熱を奪われて、その表面温度は室内温度よりも低くなる。除湿機１００から送風される除湿空気は周囲の空気に比べて温度が高いため、除湿空気が濡れた衣類に送風されると、衣類の表面温度が上昇する。ここで、厚手の衣類では薄手の衣類よりも熱容量が大きいため、除湿機１００から各衣類に対して除湿空気の送風が開始された後の温度の上昇速度を厚手の衣類と薄手の衣類とで比較すると、厚手の衣類の方が薄手の衣類に比べて温度上昇速度が緩やかになる。
【００２７】
また、各単位領域（ｘ、ｙ）に対して除湿空気の送風前の時間ｔｘ０での表面温度Ｔｘ０（ｘ、ｙ）と送風後の時間ｔｘ１での表面温度Ｔｘ１（ｘ、ｙ）との温度差ΔＴｘ１−ｘ０＝Ｔｘ１（ｘ、ｙ）−Ｔｘ０（ｘ、ｙ）を計算する。そうすると、厚手の衣類の温度差ΔＴthickに比べて、薄手の衣類の温度差ΔＴthinの方が大きくなる。すなわち、ΔＴｘ１−ｘ０（ｘ、ｙ）の値を送風先の単位領域（ｘ、ｙ）毎に比較することで、各単位領域（ｘ、ｙ）に存在する被乾燥物が厚手の衣類か薄手の衣類かを判別することができる。
【００２８】
ここで、表面温度検知部６１が複眼であり、一度に全ての単位領域（ｘ、ｙ）の表面温度を取得できる場合を除いて、除湿空気の送風を開始してからそれぞれの単位領域（ｘ、ｙ）の表面温度を検知するまでの時間は、単位領域（ｘ、ｙ）毎に異なる。そして、時間が経つと衣類の表面温度が上昇するため、ある単位領域（ｘ１、ｙ１）のある時刻ｔ３で検知された表面温度Ｔ３（ｘ１、ｙ１）に比べ、それよりも後の時刻ｔ４で検知された表面温度Ｔ４（ｘ１、ｙ１）は高くなる。そこで、検知する時刻に応じて表面温度Ｔｔ（ｘ、ｙ）を補正してもよい。
【００２９】
また、温度差ΔＴの値が相対的に小さい単位領域に対しては、ΔＴの値が相対的に大きい単位領域（ｘ、ｙ）よりも除湿空気を送風する積算時間を長くする。なお、各単位領域（ｘ、ｙ）に送風する積算時間は、例えば、式ΣΔＴ（ｘ、ｙ）／Ｔｔ（ｘ、ｙ）×ｔ（ｔは定数）を使って求めてもよい。また、ΔＴの範囲毎に積算時間が設定されたテーブルを使って求めてもよい。
【００３０】
そして、乾燥対象エリアの各単位領域（ｘ、ｙ）に対して積算送風時間ｔｔｌ（ｘ、ｙ）の間、除湿空気を送風し、全ての単位領域（ｘ、ｙ）で積算送風時間ｔｔｌ（ｘ、ｙ）を経過したら除湿空気の送風を終了し、除湿運転を終了する。
【００３１】
図５は、本発明の実施の形態１に係る除湿機１００による除湿運転の一例を示す第一のフローチャートである。図６は、図５の第一のフローチャートにつながる第二のフローチャートである。
次に、本実施の形態１に係る除湿機１００による除湿運転の一例について、図５および図６を用いて説明する。
【００３２】
演算処理装置８２は、除湿機１００が電源ＯＮの状態で、ユーザーにより除湿開始ボタン（図示せず）が押下されるなどの除湿運転を開始する操作が行われたら除湿運転を開始する。
【００３３】
（ステップＳ１０１）
演算処理装置８２は、温度検知部６２を用いて、室内温度Ｔｒを取得する。なお、取得した室内温度Ｔｒに関する情報は、例えば演算処理装置８２内蔵のメモリー（図示せず）などに保持される。
【００３４】
（ステップＳ１０２）
演算処理装置８２は、複数の単位領域（ｘ、ｙ）の中から対象単位領域（ｘ、ｙ）を決定する。なお、対象単位領域（ｘ、ｙ）は、複数の単位領域（ｘ、ｙ）の中から順番に選ばれる。
【００３５】
（ステップＳ１０３）
演算処理装置８２は、表面温度検知部６１を用いて、決定した対象単位領域（ｘ、ｙ）の第一の表面温度Ｔ０（ｘ、ｙ）を取得する。なお、取得した第一の表面温度Ｔ０（ｘ、ｙ）に関する情報は、例えば演算処理装置８２内蔵のメモリー（図示せず）などに保持される。
【００３６】
（ステップＳ１０４）
演算処理装置８２は、室内温度Ｔｒと対象単位領域（ｘ、ｙ）の第一の表面温度Ｔ０（ｘ、ｙ）との温度差ΔＴｒ−０（ｘ、ｙ）が、あらかじめ設定され第一の閾値Ｔｔｈ１よりも小さいかどうかを判定する。演算処理装置８２が、温度差ΔＴｒ−０（ｘ、ｙ）が第一の閾値Ｔｔｈ１よりも小さいと判定した場合は（ＹＥＳ）、ステップＳ１０６の処理へ進む。一方、演算処理装置８２が、温度差ΔＴｒ−０（ｘ、ｙ）が第一の閾値Ｔｔｈ１よりも小さくないと判定した場合は（ＮＯ）、ステップＳ１０５の処理へ進む。
【００３７】
ここで、対象単位領域（ｘ、ｙ）に濡れた衣類などの被乾燥物が存在する場合、被乾燥物は蒸発する水分に熱を奪われて対象単位領域（ｘ、ｙ）の第一の表面温度Ｔ０（ｘ、ｙ）が室内温度Ｔｒよりも低くなる。そのため、対象単位領域（ｘ、ｙ）に被乾燥物が存在する場合は、温度差ΔＴｒ−０（ｘ、ｙ）が大きくなる。一方、対象単位領域（ｘ、ｙ）に被乾燥物が存在しない場合は、温度差ΔＴｒ−０（ｘ、ｙ）が小さくなる。そこで、温度差ΔＴｒ−０（ｘ、ｙ）が第一の閾値Ｔｔｈ１よりも小さいかどうかを判定することで、被乾燥物の有無を判定している。
【００３８】
（ステップＳ１０５）
演算処理装置８２は、対象単位領域（ｘ、ｙ）を乾燥対象エリアに設定する。なお、乾燥対象エリアに設定された情報は、例えば演算処理装置８２内蔵のメモリー（図示せず）などに保持される。
【００３９】
（ステップＳ１０６）
演算処理装置８２は、対象単位領域（ｘ、ｙ）を非乾燥対象エリアに設定する。なお、非乾燥対象エリアに設定された情報は、例えば演算処理装置８２内蔵のメモリー（図示せず）などに保持される。
【００４０】
（ステップＳ１０７）
演算処理装置８２は、全ての単位領域（ｘ、ｙ）が対象単位領域（ｘ、ｙ）に選ばれたかどうかを判定する。演算処理装置８２が、全ての単位領域（ｘ、ｙ）が対象単位領域（ｘ、ｙ）に選ばれたと判定した場合は（ＹＥＳ）、ステップＳ１０８の処理へ進む。一方、演算処理装置８２が、対象単位領域（ｘ、ｙ）に選ばれていない単位領域（ｘ、ｙ）があると判定した場合は（ＮＯ）、ステップＳ１０２の処理へ戻る。
【００４１】
（ステップＳ１０８）
演算処理装置８２は、除湿装置３０および送風装置２０を起動して乾燥対象エリアに除湿空気の送風を開始するとともに、計時装置８３を用いて時間の計測を開始する。
【００４２】
（ステップＳ１０９）
演算処理装置８２は、除湿空気の送風を開始してからあらかじめ設定された第一の時間ｔ１が経過したかどうかを判定する。演算処理装置８２が、第一の時間ｔ１が経過したと判定した場合は（ＹＥＳ）、ステップＳ１１０の処理へ進み、第一の時間ｔ１が経過していないと判定した場合は（ＮＯ）、再度ステップＳ１０９の処理を行う。
【００４３】
（ステップＳ１１０）
演算処理装置８２は、乾燥対象エリアの単位領域（ｘ、ｙ）の中から対象単位領域（ｘ、ｙ）を決定する。なお、対象単位領域（ｘ、ｙ）は、乾燥対象エリアの単位領域（ｘ、ｙ）の中から順番に選ばれる。
【００４４】
（ステップＳ１１１）
演算処理装置８２は、表面温度検知部６１を用いて、決定した対象単位領域（ｘ、ｙ）の第二の表面温度Ｔ１（ｘ、ｙ）を取得する。なお、取得した第二の表面温度Ｔ１（ｘ、ｙ）に関する情報は、例えば演算処理装置８２内蔵のメモリー（図示せず）などに保持される。
【００４５】
（ステップＳ１１２）
演算処理装置８２は、対象単位領域（ｘ、ｙ）の第二の表面温度Ｔ１（ｘ、ｙ）と第一の表面温度Ｔ０（ｘ、ｙ）との温度差ΔＴ１−０（ｘ、ｙ）を算出する。そして、演算処理装置８２は、算出した温度差ΔＴ１−０（ｘ、ｙ）に基づいて、積算送風時間ｔｔｌ（ｘ、ｙ）を決定する。なお、積算送風時間ｔｔｌ（ｘ、ｙ）は、温度差ΔＴ１−０（ｘ、ｙ）の値が小さいほど長くなり、温度差ΔＴ１−０（ｘ、ｙ）の値が大きいほど短くなる。これは、除湿機１００から除湿空気の送風が開始された後の温度の上昇速度は、厚手の衣類の方が薄手の衣類に比べて緩やかになるため、温度差ΔＴ１−０（ｘ、ｙ）の値が小さい方が厚手の衣類であり、乾燥しにくいためである。
【００４６】
（ステップＳ１１３）
演算処理装置８２は、乾燥対象エリアの全ての単位領域（ｘ、ｙ）が対象単位領域（ｘ、ｙ）に選ばれたかどうかを判定する。演算処理装置８２が、乾燥対象エリアの全ての単位領域が対象単位領域（ｘ、ｙ）に選ばれたと判定した場合は（ＹＥＳ）、ステップＳ１２１の処理へ進む。一方、演算処理装置８２が、乾燥対象エリアにおいて対象単位領域（ｘ、ｙ）に選ばれていない単位領域（ｘ、ｙ）があると判定した場合は（ＮＯ）、ステップＳ１１０の処理へ戻る。
【００４７】
（ステップＳ１２１）
演算処理装置８２は、計時装置８３を用いて時間の計測を新たに開始する。このとき、先に送風される領域の方が乾きやすいため、積算送風時間ｔｔｌ（ｘ、ｙ）が長い単位領域（ｘ、ｙ）、つまり厚手の衣類が存在する単位領域（ｘ、ｙ）から順番に除湿空気の送風を行う。そうすることで、効率的に被乾燥物を乾燥させることができ、乾燥時間の短縮となる。
【００４８】
（ステップＳ１２２）
演算処理装置８２は、乾燥対象エリアにおいて時間の計測を開始してから積算送風時間ｔｔｌ（ｘ、ｙ）を経過した乾燥対象エリアの単位領域（ｘ、ｙ）があるかどうかを判定する。演算処理装置８２が、乾燥対象エリアにおいて時間の計測を開始してから積算送風時間ｔｔｌ（ｘ、ｙ）を経過した単位領域（ｘ、ｙ）があると判定した場合は（ＹＥＳ）、ステップＳ１２３の処理へ進む。一方、演算処理装置８２が、乾燥対象エリアにおいて時間の計測を開始してから積算送風時間ｔｔｌ（ｘ、ｙ）を経過した単位領域（ｘ、ｙ）がないと判定した場合は（ＮＯ）、ステップＳ１２４の処理へ進む。
【００４９】
なお、各単位領域（ｘ、ｙ）の送風時間の変更は、風向変更装置７０の移動速度を変えてもよいし、風向変更装置７０の停止時間を変えてもよい。具体的には、ある単位領域（ｘ、ｙ）における風向変更装置７０の移動速度を速くすることで送風時間を短くすることができ、風向変更装置７０の移動速度を遅くすることで送風時間を長くすることができる。また、ある単位領域（ｘ、ｙ）における風向変更装置７０の停止時間を短くすることで送風時間を短くすることができ、風向変更装置７０の停止時間を長くすることで送風時間を長くすることができる。
【００５０】
（ステップＳ１２３）
演算処理装置８２は、乾燥対象エリアにおいて時間の計測を開始してから積算送風時間ｔｔｌ（ｘ、ｙ）を経過した単位領域（ｘ、ｙ）を乾燥対象エリアから除外する、つまり、その単位領域（ｘ、ｙ）を非乾燥対象エリアに設定する。なお、非乾燥対象エリアに設定された情報は、例えば演算処理装置８２内蔵のメモリー（図示せず）などに保持される。
【００５１】
（ステップＳ１２４）
演算処理装置８２は、乾燥対象エリアに単位領域（ｘ、ｙ）があるかどうかを判定する。演算処理装置８２が、乾燥対象エリアに単位領域（ｘ、ｙ）があると判定した場合（ＹＥＳ）、ステップＳ１２２の処理へ戻る。一方、演算処理装置８２が、乾燥対象エリアに単位領域（ｘ、ｙ）がないと判定した場合（ＮＯ）、除湿運転処理を終了する。
【００５２】
以上、本実施の形態１に係る除湿機１００は、通過する空気中の水分を除去する除湿装置３０と、室内空気を吸い込み、除湿装置３０を通過後の除湿空気を室内に供給する送風装置２０と、を備えている。また、除湿空気の送風方向を変更する風向変更装置７０と、表面温度を非接触で検知する表面温度検知部６１と、を備えている。そして、送風装置２０の送風可能領域を構成する複数の単位領域（ｘ、ｙ）それぞれの第一の表面温度Ｔ０（ｘ、ｙ）を検知し、第一の表面温度Ｔ０（ｘ、ｙ）と室内温度Ｔｒとの差が第一の閾値Ｔｔｈ１よりも低い単位領域（ｘ、ｙ）を乾燥対象エリアとする。そして、乾燥対象エリアの各単位領域（ｘ、ｙ）に対して、除湿空気の送風を開始する。そして、送風を開始してから第一の時間ｔ１経過後の乾燥対象エリアの各単位領域（ｘ、ｙ）の第二の表面温度Ｔ１（ｘ、ｙ）を検知する。そして、第一の表面温度Ｔ０（ｘ、ｙ）と第二の表面温度Ｔ１（ｘ、ｙ）との差が相対的に小さい乾燥対象エリアの単位領域（ｘ、ｙ）に送風される積算送風時間ｔｔｌ（ｘ、ｙ）が、第一の表面温度Ｔ０（ｘ、ｙ）と第二の表面温度Ｔ１（ｘ、ｙ）との差が相対的に大きい乾燥対象エリアの単位領域（ｘ、ｙ）に送風される積算送風時間ｔｔｌ（ｘ、ｙ）よりも長くなるように積算送風時間ｔｔｌ（ｘ、ｙ）を設定するものである。
【００５３】
本実施の形態１に係る除湿機１００によれば、除湿空気の送風を開始する前の第一の表面温度と除湿空気の送風を開始した後の第二の表面温度との差が相対的に小さい乾燥対象エリアの単位領域（ｘ、ｙ）に送風される積算送風時間ｔｔｌ（ｘ、ｙ）が、第一の表面温度と第二の表面温度との差が相対的に大きい乾燥対象エリアの単位領域に送風される積算送風時間ｔｔｌ（ｘ、ｙ）よりも長くなるように積算送風時間ｔｔｌ（ｘ、ｙ）を設定する。つまり、厚手の被乾燥物に対して薄手の被乾燥物よりも積算送風時間ｔｔｌ（ｘ、ｙ）を長くするため、厚手の被乾燥物を確実に乾かすことができる。
【００５４】
また、本実施の形態１に係る除湿機１００は、乾燥対象エリアの各単位領域（ｘ、ｙ）の積算送風時間ｔｔｌ（ｘ、ｙ）が設定された後、乾燥対象エリアの各単位領域（ｘ、ｙ）のうち、積算送風時間ｔｔｌ（ｘ、ｙ）が相対的に長い単位領域から順番に除湿空気の送風を行うものである。
【００５５】
本実施の形態１に係る除湿機１００によれば、厚手の衣類が存在する単位領域（ｘ、ｙ）から順番に除湿空気の送風を行うため、効率的に被乾燥物を乾燥させることができ、乾燥時間の短縮となる。
【００５６】
実施の形態２．
以下、本発明の実施の形態２について説明するが、実施の形態１と重複するものについては説明を省略し、実施の形態１と同じ部分または相当する部分には同じ符号を付す。
【００５７】
実施の形態１では、厚手の被乾燥物に対して薄手の被乾燥物よりも積算送風時間ｔｔｌ（ｘ、ｙ）を長くすることで、厚手の被乾燥物を確実に乾かすようにしていた。これに対して、本実施の形態２では、厚手の被乾燥物に対して薄手の被乾燥物よりも送風する風量を多くすることで、厚手の被乾燥物を確実に乾かすようにしている。また、本実施の形態２では、検知した被乾燥物の表面温度に基づいて乾いたかどうかを判定している。
【００５８】
図７は、本発明の実施の形態２に係る除湿機１００による除湿運転の一例を示す第一のフローチャートである。図８は、図７の第一のフローチャートにつながる第二のフローチャートである。
次に、本実施の形態２に係る除湿機１００による除湿運転の一例について、図７および図８を用いて説明する。
【００５９】
演算処理装置８２は、除湿機１００が電源ＯＮの状態で、ユーザーにより除湿開始ボタン（図示せず）が押下されるなどの除湿運転を開始する操作が行われたら除湿運転を開始する。
【００６０】
（ステップＳ２０１）
演算処理装置８２は、温度検知部６２を用いて、室内温度Ｔｒを取得する。なお、取得した室内温度Ｔｒに関する情報は、例えば演算処理装置８２内蔵のメモリー（図示せず）などに保持される。
【００６１】
（ステップＳ２０２）
演算処理装置８２は、複数の単位領域（ｘ、ｙ）の中から対象単位領域（ｘ、ｙ）を決定する。なお、対象単位領域は、複数の単位領域（ｘ、ｙ）の中から順番に選ばれる。
【００６２】
（ステップＳ２０３）
演算処理装置８２は、表面温度検知部６１を用いて、決定した対象単位領域（ｘ、ｙ）の第一の表面温度Ｔ０（ｘ、ｙ）を取得する。なお、取得した第一の表面温度Ｔ０（ｘ、ｙ）に関する情報は、例えば演算処理装置８２内蔵のメモリー（図示せず）などに保持される。
【００６３】
（ステップＳ２０４）
演算処理装置８２は、室内温度Ｔｒと対象単位領域（ｘ、ｙ）の第一の表面温度Ｔ０（ｘ、ｙ）との温度差ΔＴｒ−０（ｘ、ｙ）が、あらかじめ設定された第一の閾値Ｔｔｈ１よりも小さいかどうかを判定する。演算処理装置８２が、温度差ΔＴｒ−０（ｘ、ｙ）が第一の閾値Ｔｔｈ１よりも小さいと判定した場合は（ＹＥＳ）、ステップＳ２０６の処理へ進む。一方、演算処理装置８２が、温度差ΔＴｒ−０（ｘ、ｙ）が第一の閾値Ｔｔｈ１よりも小さくないと判定した場合は（ＮＯ）、ステップＳ２０５の処理へ進む。
【００６４】
ここで、対象単位領域（ｘ、ｙ）に濡れた衣類などの被乾燥物が存在する場合、被乾燥物は蒸発する水分に熱を奪われて対象単位領域（ｘ、ｙ）の第一の表面温度Ｔ０（ｘ、ｙ）が室内温度Ｔｒよりも低くなる。そのため、対象単位領域（ｘ、ｙ）に被乾燥物が存在する場合は、温度差ΔＴｒ−０（ｘ、ｙ）が大きくなる。そこで、温度差ΔＴｒ−０（ｘ、ｙ）が第一の閾値Ｔｔｈ１よりも小さいかどうかを判定することで、被乾燥物の有無を判定している。
【００６５】
（ステップＳ２０５）
演算処理装置８２は、対象単位領域（ｘ、ｙ）を乾燥対象エリアに設定する。なお、乾燥対象エリアに設定された情報は、例えば演算処理装置８２内蔵のメモリー（図示せず）などに保持される。
【００６６】
（ステップＳ２０６）
演算処理装置８２は、対象単位領域（ｘ、ｙ）を非乾燥対象エリアに設定する。なお、非乾燥対象エリアに設定された情報は、例えば演算処理装置８２内蔵のメモリー（図示せず）などに保持される。
【００６７】
（ステップＳ２０７）
演算処理装置８２は、全ての単位領域（ｘ、ｙ）が対象単位領域（ｘ、ｙ）に選ばれたかどうかを判定する。演算処理装置８２が、全ての単位領域（ｘ、ｙ）が対象単位領域（ｘ、ｙ）に選ばれたと判定した場合は（ＹＥＳ）、ステップＳ２０８の処理へ進む。一方、演算処理装置８２が、対象単位領域（ｘ、ｙ）に選ばれていない単位領域（ｘ、ｙ）があると判定した場合は（ＮＯ）、ステップＳ２０２の処理へ戻る。
【００６８】
（ステップＳ２０８）
演算処理装置８２は、除湿装置３０および送風装置２０を起動して乾燥対象エリアに除湿空気の送風を開始するとともに、計時装置８３を用いて時間の計測を開始する。
【００６９】
（ステップＳ２０９）
演算処理装置８２は、除湿空気の送風を開始してからあらかじめ設定された第一の時間ｔ１が経過したかどうかを判定する。演算処理装置８２が、第一の時間ｔ１が経過したと判定した場合は（ＹＥＳ）、ステップＳ２１０の処理へ進み、第一の時間ｔ１が経過していないと判定した場合は（ＮＯ）、再度ステップＳ２０９の処理を行う。
【００７０】
（ステップＳ２１０）
演算処理装置８２は、乾燥対象エリアの単位領域の中から対象単位領域（ｘ、ｙ）を決定する。なお、対象単位領域（ｘ、ｙ）は、乾燥対象エリアの単位領域（ｘ、ｙ）の中から順番に選ばれる。
【００７１】
（ステップＳ２１１）
演算処理装置８２は、表面温度検知部６１を用いて、決定した対象単位領域（ｘ、ｙ）の第二の表面温度Ｔ１（ｘ、ｙ）を取得する。なお、取得した第二の表面温度Ｔ１（ｘ、ｙ）に関する情報は、例えば演算処理装置８２内蔵のメモリー（図示せず）などに保持される。
【００７２】
（ステップＳ２１２）
演算処理装置８２は、対象単位領域（ｘ、ｙ）の第二の表面温度Ｔ１（ｘ、ｙ）と第一の表面温度Ｔ０（ｘ、ｙ）との温度差ΔＴ１−０（ｘ、ｙ）を算出する。そして、演算処理装置８２は、算出した温度差ΔＴ１−０（ｘ、ｙ）に基づいて、送風装置２０から乾燥対象エリアに送風される除湿空気の風量Ｗ（ｘ、ｙ）を決定する。なお、風量Ｗ（ｘ、ｙ）は、温度差ΔＴ１−０（ｘ、ｙ）の値が小さいほど大きくなり、温度差ΔＴ１−０（ｘ、ｙ）の値が大きいほど小さくなる。これは、除湿機１００から除湿空気の送風が開始された後の温度の上昇速度は、厚手の衣類の方が薄手の衣類に比べて緩やかになるため、温度差ΔＴ１−０（ｘ、ｙ）の値が小さい方が厚手の衣類であり、乾燥しにくいためである。
【００７３】
（ステップＳ２１３）
演算処理装置８２は、乾燥対象エリアの全ての単位領域（ｘ、ｙ）が対象単位領域（ｘ、ｙ）に選ばれたかどうかを判定する。演算処理装置８２が、乾燥対象エリアの全ての単位領域（ｘ、ｙ）が対象単位領域（ｘ、ｙ）に選ばれたと判定した場合は（ＹＥＳ）、ステップＳ２２１の処理へ進む。一方、演算処理装置８２が、乾燥対象エリアの全ての単位領域（ｘ、ｙ）が対象単位領域（ｘ、ｙ）に選ばれていないと判定した場合は（ＮＯ）、ステップＳ２１０の処理へ戻る。
【００７４】
（ステップＳ２２１）
演算処理装置８２は、乾燥対象エリアの各単位領域（ｘ、ｙ）に対して、それぞれ決定された風量Ｗ（ｘ、ｙ）で除湿空気の送風を開始するとともに、計時装置８３を用いて時間の計測を新たに開始する。このとき、先に送風される領域の方が乾きやすいため、風量Ｗ（ｘ、ｙ）が多い単位領域（ｘ、ｙ）、つまり厚手の衣類が存在する単位領域（ｘ、ｙ）から順番に除湿空気の送風を行う。そうすることで、効率的に被乾燥物を乾燥させることができ、乾燥時間の短縮となる。
【００７５】
（ステップＳ２２２）
演算処理装置８２は、乾燥対象エリアにおいて時間の計測を開始してからあらかじめ設定された第二の時間ｔ２が経過したかどうかを判定する。演算処理装置８２が、第二の時間ｔ２が経過したと判定した場合は（ＹＥＳ）、ステップＳ２２３の処理へ進み、第二の時間ｔ２が経過していないと判定した場合は（ＮＯ）、再度ステップＳ２２２の処理を行う。
【００７６】
（ステップＳ２２３）
演算処理装置８２は、吹出空気温度検知部６４を用いて、除湿空気温度Ｔｄａを取得する。なお、取得した除湿空気温度Ｔｄａに関する情報は、例えば演算処理装置８２内蔵のメモリー（図示せず）などに保持される。
【００７７】
（ステップＳ２２４）
演算処理装置８２は、乾燥対象エリアの単位領域（ｘ、ｙ）の中から対象単位領域（ｘ、ｙ）を決定する。なお、対象単位領域（ｘ、ｙ）は、乾燥対象エリアの単位領域（ｘ、ｙ）の中から順番に選ばれる。
【００７８】
（ステップＳ２２５）
演算処理装置８２は、表面温度検知部６１を用いて、決定した対象単位領域（ｘ、ｙ）の第三の表面温度Ｔ２（ｘ、ｙ）を取得する。なお、取得した第三の表面温度Ｔ２（ｘ、ｙ）に関する情報は、例えば演算処理装置８２内蔵のメモリー（図示せず）などに保持される。
【００７９】
（ステップＳ２２６）
演算処理装置８２は、対象単位領域（ｘ、ｙ）の第三の表面温度Ｔ２（ｘ、ｙ）と除湿空気温度Ｔｄａとの温度差ΔＴ２−ｄａ（ｘ、ｙ）を算出する。
【００８０】
（ステップＳ２２７）
演算処理装置８２は、温度差ΔＴ２−ｄａ（ｘ、ｙ）が、あらかじめ設定された第二の閾値Ｔｔｈ２よりも小さいかどうかを判定する。演算処理装置８２が、温度差ΔＴ２−ｄａ（ｘ、ｙ）が第二の閾値Ｔｔｈ２よりも小さいと判定した場合は（ＹＥＳ）、ステップＳ２２８の処理へ進む。一方、演算処理装置８２が、温度差ΔＴ２−ｄａ（ｘ、ｙ）が第二の閾値Ｔth２よりも小さくないと判定した場合は（ＮＯ）、ステップＳ２２９の処理へ進む。
【００８１】
ここで、対象単位領域（ｘ、ｙ）の被乾燥物が乾燥するにつれて、蒸発する水分に奪われる熱量が少なくなるため、対象単位領域（ｘ、ｙ）の第三の表面温度Ｔ２（ｘ、ｙ）と除湿空気温度Ｔｄａとの温度差ΔＴ２−ｄａ（ｘ、ｙ）が小さくなる。そこで、温度差ΔＴ２−ｄａ（ｘ、ｙ）が第二の閾値Ｔｔｈ２よりも小さいかどうかを判定することで、被乾燥物の乾燥の有無を判定している。
【００８２】
（ステップＳ２２８）
演算処理装置８２は、対象単位領域（ｘ、ｙ）を乾燥対象エリアから除外する、つまり、その単位領域（ｘ、ｙ）を非乾燥対象エリアに設定する。なお、非乾燥対象エリアに設定された情報は、例えば演算処理装置８２内蔵のメモリー（図示せず）などに保持される。
【００８３】
（ステップＳ２２９）
演算処理装置８２は、乾燥対象エリアの全ての単位領域（ｘ、ｙ）が対象単位領域（ｘ、ｙ）に選ばれたかどうかを判定する。演算処理装置８２が、乾燥対象エリアの全ての単位領域（ｘ、ｙ）が対象単位領域（ｘ、ｙ）に選ばれたと判定した場合は（ＹＥＳ）、ステップＳ２３０の処理へ進む。一方、演算処理装置８２が、乾燥対象エリアの全ての単位領域（ｘ、ｙ）が対象単位領域（ｘ、ｙ）に選ばれていないと判定した場合は（ＮＯ）、ステップＳ２２４の処理へ戻る。
【００８４】
（ステップＳ２３０）
演算処理装置８２は、乾燥対象エリアに単位領域（ｘ、ｙ）があるかどうかを判定する。演算処理装置８２が、乾燥対象エリアに単位領域（ｘ、ｙ）があると判定した場合（ＹＥＳ）、ステップＳ２２４の処理へ戻る。このとき、あらかじめ設定された時間経過後に、ステップＳ２２４の処理へ戻るようにしてもよい。一方、演算処理装置８２が、乾燥対象エリアに単位領域（ｘ、ｙ）がないと判定した場合（ＮＯ）、除湿運転処理を終了する。
【００８５】
以上、本実施の形態２に係る除湿機１００は、通過する空気中の水分を除去する除湿装置３０と、室内空気を吸い込み、除湿装置３０を通過後の除湿空気を室内に供給する送風装置２０と、を備えている。また、除湿空気の送風方向を変更する風向変更装置７０と、表面温度を非接触で検知する表面温度検知部６１と、を備えている。そして、送風装置２０の送風可能領域を構成する複数の単位領域（ｘ、ｙ）それぞれの第一の表面温度Ｔ０（ｘ、ｙ）を検知し、第一の表面温度Ｔ０（ｘ、ｙ）と室内温度Ｔｒとの差が第一の閾値Ｔｔｈ１よりも低い単位領域（ｘ、ｙ）を乾燥対象エリアとする。そして、乾燥対象エリアの各単位領域（ｘ、ｙ）に対して、除湿空気の送風を開始する。そして、送風を開始してから第一の時間ｔ１経過後の乾燥対象エリアの各単位領域（ｘ、ｙ）の第二の表面温度Ｔ１（ｘ、ｙ）を検知する。そして、第一の表面温度Ｔ０（ｘ、ｙ）と第二の表面温度Ｔ１（ｘ、ｙ）との差が相対的に小さい乾燥対象エリアの単位領域（ｘ、ｙ）に送風される際の風量Ｗ（ｘ、ｙ）が、第一の表面温度Ｔ０（ｘ、ｙ）と第二の表面温度Ｔ１（ｘ、ｙ）との差が相対的に大きい乾燥対象エリアの単位領域（ｘ、ｙ）に送風される際の風量Ｗ（ｘ、ｙ）よりも多くなるように風量Ｗ（ｘ、ｙ）を設定するものである。
【００８６】
本実施の形態２に係る除湿機１００によれば、除湿空気の送風を開始する前の第一の表面温度と除湿空気の送風を開始した後の第二の表面温度との差が相対的に小さい乾燥対象エリアの単位領域（ｘ、ｙ）に送風される際の風量Ｗ（ｘ、ｙ）が、第一の表面温度と第二の表面温度との差が相対的に大きい乾燥対象エリアの単位領域に送風される際の風量Ｗ（ｘ、ｙ）よりも多くなるように風量Ｗ（ｘ、ｙ）を設定する。つまり、厚手の被乾燥物に対して薄手の被乾燥物よりも送風する風量Ｗ（ｘ、ｙ）を多くするため、厚手の被乾燥物を確実に乾かすことができる。
【００８７】
また、本実施の形態２に係る除湿機１００は、除湿空気温度Ｔｄａを検知する吹出空気温度検知部６４を備えている、そして、乾燥対象エリアの各単位領域（ｘ、ｙ）の風量Ｗ（ｘ、ｙ）が設定された後、第二の時間ｔ２経過後の乾燥対象エリアの各単位領域（ｘ、ｙ）の第三の表面温度Ｔ２（ｘ、ｙ）を検知する。そして、除湿空気温度Ｔｄａとの差が第二の閾値Ｔｔｈ２よりも小さい単位領域（ｘ、ｙ）を乾燥対象エリアから除外するものである。
【００８８】
本実施の形態２に係る除湿機１００によれば、検知した被乾燥物の表面温度に基づいて乾いたかどうかを判定しているため、厚手の被乾燥物を確実に乾かすことができる。
【００８９】
また、本実施の形態２に係る除湿機１００は、乾燥対象エリアの各単位領域（ｘ、ｙ）の風量Ｗ（ｘ、ｙ）が設定された後、乾燥対象エリアの各単位領域（ｘ、ｙ）のうち、風量Ｗ（ｘ、ｙ）が相対的に多い単位領域（ｘ、ｙ）から順番に除湿空気の送風を行うものである。
【００９０】
本実施の形態２に係る除湿機１００によれば、厚手の衣類が存在する単位領域（ｘ、ｙ）から順番に除湿空気の送風を行うため、効率的に被乾燥物を乾燥させることができ、乾燥時間の短縮となる。
【００９１】
実施の形態３．
以下、本発明の実施の形態３について説明するが、実施の形態１と重複するものについては説明を省略し、実施の形態１と同じ部分または相当する部分には同じ符号を付す。
【００９２】
本実施の形態３では、除湿機１００は、図２に示すような、除湿装置３０として蒸発器３１が用いられた構成であり、蒸発器３１に配管で接続されている圧縮機３３は、可変容量型であり、回転数を可変に制御可能に構成されている。
【００９３】
実施の形態１では、厚手の被乾燥物に対して薄手の被乾燥物よりも積算送風時間ｔｔｌ（ｘ、ｙ）を長くすることで、厚手の被乾燥物を確実に乾かすようにしていた。これに対して、本実施の形態３では、厚手の被乾燥物に対して薄手の被乾燥物よりも圧縮機３３の回転数Ｒ（ｘ、ｙ）を大きくして送風される除湿空気の除湿量を多くすることで、厚手の被乾燥物を確実に乾かすようにしている。また、本実施の形態３では、検知した被乾燥物の表面温度に基づいて乾いたかどうかを判定している。
【００９４】
図９は、本発明の実施の形態３に係る除湿機１００による除湿運転の一例を示す第一のフローチャートである。図１０は、図９の第一のフローチャートにつながる第二のフローチャートである。
次に、本実施の形態３に係る除湿機１００による除湿運転の一例について、図９および図１０を用いて説明する。
【００９５】
演算処理装置８２は、除湿機１００が電源ＯＮの状態で、ユーザーにより除湿開始ボタン（図示せず）が押下されるなどの除湿運転を開始する操作が行われたら除湿運転を開始する。
【００９６】
（ステップＳ３０１）
演算処理装置８２は、温度検知部６２を用いて、室内温度Ｔｒを取得する。なお、取得した室内温度Ｔｒに関する情報は、例えば演算処理装置８２内蔵のメモリー（図示せず）などに保持される。
【００９７】
（ステップＳ３０２）
演算処理装置８２は、複数の単位領域（ｘ、ｙ）の中から対象単位領域（ｘ、ｙ）を決定する。なお、対象単位領域は、複数の単位領域の中から順番に選ばれる。
【００９８】
（ステップＳ３０３）
演算処理装置８２は、表面温度検知部６１を用いて、決定した対象単位領域（ｘ、ｙ）の第一の表面温度Ｔ０（ｘ、ｙ）を取得する。なお、取得した第一の表面温度Ｔ０（ｘ、ｙ）に関する情報は、例えば演算処理装置８２内蔵のメモリー（図示せず）などに保持される。
【００９９】
（ステップＳ３０４）
演算処理装置８２は、室内温度Ｔｒと対象単位領域（ｘ、ｙ）の第一の表面温度Ｔ０（ｘ、ｙ）との温度差ΔＴｒ−０（ｘ、ｙ）が、あらかじめ設定された第一の閾値Ｔｔｈ１よりも小さいかどうかを判定する。演算処理装置８２が、温度差ΔＴｒ−０（ｘ、ｙ）が第一の閾値Ｔｔｈ１よりも小さいと判定した場合は（ＹＥＳ）、ステップＳ３０６の処理へ進む。一方、演算処理装置８２が、温度差ΔＴｒ−０（ｘ、ｙ）が第一の閾値Ｔｔｈ１よりも小さくないと判定した場合は（ＮＯ）、ステップＳ３０５の処理へ進む。
【０１００】
ここで、対象単位領域（ｘ、ｙ）に濡れた衣類などの被乾燥物が存在する場合、被乾燥物は蒸発する水分に熱を奪われて対象単位領域（ｘ、ｙ）の第一の表面温度Ｔ０（ｘ、ｙ）が室内温度Ｔｒよりも低くなる。そのため、対象単位領域（ｘ、ｙ）に被乾燥物が存在する場合は、温度差ΔＴｒ−０（ｘ、ｙ）が大きくなる。そこで、温度差ΔＴｒ−０（ｘ、ｙ）が第一の閾値Ｔｔｈ１よりも小さいかどうかを判定することで、被乾燥物の有無を判定している。
【０１０１】
（ステップＳ３０５）
演算処理装置８２は、対象単位領域（ｘ、ｙ）を乾燥対象エリアに設定する。なお、乾燥対象エリアに設定された情報は、例えば演算処理装置８２内蔵のメモリー（図示せず）などに保持される。
【０１０２】
（ステップＳ３０６）
演算処理装置８２は、対象単位領域（ｘ、ｙ）を非乾燥対象エリアに設定する。なお、非乾燥対象エリアに設定された情報は、例えば演算処理装置８２内蔵のメモリー（図示せず）などに保持される。
【０１０３】
（ステップＳ３０７）
演算処理装置８２は、全ての単位領域（ｘ、ｙ）が対象単位領域（ｘ、ｙ）に選ばれたかどうかを判定する。演算処理装置８２が、全ての単位領域（ｘ、ｙ）が対象単位領域（ｘ、ｙ）に選ばれたと判定した場合は（ＹＥＳ）、ステップＳ３０８の処理へ進む。一方、演算処理装置８２が、対象単位領域（ｘ、ｙ）に選ばれていない単位領域（ｘ、ｙ）があると判定した場合は（ＮＯ）、ステップＳ３０２の処理へ戻る。
【０１０４】
（ステップＳ３０８）
演算処理装置８２は、除湿装置３０および送風装置２０を起動して乾燥対象エリアに除湿空気の送風を開始するとともに、計時装置８３を用いて時間の計測を開始する。
【０１０５】
（ステップＳ３０９）
演算処理装置８２は、除湿空気の送風を開始してからあらかじめ設定された第一の時間ｔ１が経過したかどうかを判定する。演算処理装置８２が、第一の時間ｔ１が経過したと判定した場合は（ＹＥＳ）、ステップＳ３１０の処理へ進み、第一の時間ｔ１が経過していないと判定した場合は（ＮＯ）、再度ステップＳ３０９の処理を行う。
【０１０６】
（ステップＳ３１０）
演算処理装置８２は、乾燥対象エリアの単位領域の中から対象単位領域（ｘ、ｙ）を決定する。なお、対象単位領域（ｘ、ｙ）は、乾燥対象エリアの単位領域（ｘ、ｙ）の中から順番に選ばれる。
【０１０７】
（ステップＳ３１１）
演算処理装置８２は、表面温度検知部６１を用いて、決定した対象単位領域（ｘ、ｙ）の第二の表面温度Ｔ１（ｘ、ｙ）を取得する。なお、取得した第二の表面温度Ｔ１（ｘ、ｙ）に関する情報は、例えば演算処理装置８２内蔵のメモリー（図示せず）などに保持される。
【０１０８】
（ステップＳ３１２）
演算処理装置８２は、対象単位領域（ｘ、ｙ）の第二の表面温度Ｔ１（ｘ、ｙ）と第一の表面温度Ｔ０（ｘ、ｙ）との温度差ΔＴ１−０（ｘ、ｙ）を算出する。そして、演算処理装置８２は、算出した温度差ΔＴ１−０（ｘ、ｙ）に基づいて、送風装置２０から乾燥対象エリアに送風される除湿空気の除湿量を決定し、その除湿量が得られる圧縮機３３の回転数Ｒ（ｘ、ｙ）を決定する。なお、圧縮機３３の回転数Ｒ（ｘ、ｙ）は、温度差ΔＴ１−０（ｘ、ｙ）の値が小さいほど多くなり、温度差ΔＴ１−０（ｘ、ｙ）の値が大きいほど少なくなる。これは、除湿機１００から除湿空気の送風が開始された後の温度の上昇速度は、厚手の衣類の方が薄手の衣類に比べて緩やかになるため、温度差ΔＴ１−０（ｘ、ｙ）の値が小さい方が厚手の衣類であり、乾燥しにくいためである。
【０１０９】
（ステップＳ３１３）
演算処理装置８２は、乾燥対象エリアの全ての単位領域（ｘ、ｙ）が対象単位領域（ｘ、ｙ）に選ばれたかどうかを判定する。演算処理装置８２が、乾燥対象エリアの全ての単位領域（ｘ、ｙ）が対象単位領域（ｘ、ｙ）に選ばれたと判定した場合は（ＹＥＳ）、ステップＳ３２１の処理へ進む。一方、演算処理装置８２が、乾燥対象エリアの全ての単位領域（ｘ、ｙ）が対象単位領域（ｘ、ｙ）に選ばれていないと判定した場合は（ＮＯ）、ステップＳ３１０の処理へ戻る。
【０１１０】
（ステップＳ３２１）
演算処理装置８２は、乾燥対象エリアの各単位領域（ｘ、ｙ）に対して、それぞれ決定された圧縮機３３の回転数Ｒ（ｘ、ｙ）で除湿空気の送風を開始するとともに、計時装置８３を用いて時間の計測を新たに開始する。このとき、先に送風される領域の方が乾きやすいため、圧縮機３３の回転数Ｒ（ｘ、ｙ）が多い単位領域（ｘ、ｙ）、つまり厚手の衣類が存在する単位領域（ｘ、ｙ）から順番に除湿空気の送風を行う。そうすることで、効率的に被乾燥物を乾燥させることができ、乾燥時間の短縮となる。
【０１１１】
（ステップＳ３２２）
演算処理装置８２は、乾燥対象エリアにおいて時間の計測を開始してからあらかじめ設定された第二の時間ｔ２が経過したかどうかを判定する。演算処理装置８２が、第二の時間ｔ２が経過したと判定した場合は（ＹＥＳ）、ステップＳ３２３の処理へ進み、第二の時間ｔ２が経過していないと判定した場合は（ＮＯ）、再度ステップＳ３２２の処理を行う。
【０１１２】
（ステップＳ３２３）
演算処理装置８２は、吹出空気温度検知部６４を用いて、除湿空気温度Ｔｄａを取得する。なお、取得した除湿空気温度Ｔｄａに関する情報は、例えば演算処理装置８２内蔵のメモリー（図示せず）などに保持される。
【０１１３】
（ステップＳ３２４）
演算処理装置８２は、乾燥対象エリアの単位領域（ｘ、ｙ）の中から対象単位領域（ｘ、ｙ）を決定する。なお、対象単位領域（ｘ、ｙ）は、乾燥対象エリアの単位領域（ｘ、ｙ）の中から順番に選ばれる。
【０１１４】
（ステップＳ３２５）
演算処理装置８２は、表面温度検知部６１を用いて、決定した対象単位領域（ｘ、ｙ）の第三の表面温度Ｔ２（ｘ、ｙ）を取得する。なお、取得した第三の表面温度Ｔ２（ｘ、ｙ）に関する情報は、例えば演算処理装置８２内蔵のメモリー（図示せず）などに保持される。
【０１１５】
（ステップＳ３２６）
演算処理装置８２は、対象単位領域（ｘ、ｙ）の第三の表面温度Ｔ２（ｘ、ｙ）と除湿空気温度Ｔｄａとの温度差ΔＴ２−ｄａ（ｘ、ｙ）を算出する。
【０１１６】
（ステップＳ３２７）
演算処理装置８２は、温度差ΔＴ２−ｄａ（ｘ、ｙ）が、あらかじめ設定された第二の閾値Ｔｔｈ２よりも小さいかどうかを判定する。演算処理装置８２が、温度差ΔＴ２−ｄａ（ｘ、ｙ）が第二の閾値Ｔｔｈ２よりも小さいと判定した場合は（ＹＥＳ）、ステップＳ３２８の処理へ進む。一方、演算処理装置８２が、温度差ΔＴ２−ｄａ（ｘ、ｙ）が第二の閾値Ｔｔｈ２よりも小さくないと判定した場合は（ＮＯ）、ステップＳ３２９の処理へ進む。
【０１１７】
ここで、対象単位領域（ｘ、ｙ）の被乾燥物が乾燥するにつれて、蒸発する水分に奪われる熱量が少なくなるため、対象単位領域（ｘ、ｙ）の第三の表面温度Ｔ２（ｘ、ｙ）と除湿空気温度Ｔｄａとの温度差ΔＴ２−ｄａ（ｘ、ｙ）が小さくなる。そこで、温度差ΔＴ２−ｄａ（ｘ、ｙ）が第二の閾値Ｔｔｈ２よりも小さいかどうかを判定することで、被乾燥物の乾燥の有無を判定している。
【０１１８】
（ステップＳ３２８）
演算処理装置８２は、対象単位領域（ｘ、ｙ）を乾燥対象エリアから除外する、つまり、その単位領域（ｘ、ｙ）を非乾燥対象エリアに設定する。なお、非乾燥対象エリアに設定された情報は、例えば演算処理装置８２内蔵のメモリー（図示せず）などに保持される。
【０１１９】
（ステップＳ３２９）
演算処理装置８２は、乾燥対象エリアの全ての単位領域（ｘ、ｙ）が対象単位領域（ｘ、ｙ）に選ばれたかどうかを判定する。演算処理装置８２が、乾燥対象エリアの全ての単位領域（ｘ、ｙ）が対象単位領域（ｘ、ｙ）に選ばれたと判定した場合は（ＹＥＳ）、ステップＳ３３０の処理へ進む。一方、演算処理装置８２が、乾燥対象エリアの全ての単位領域（ｘ、ｙ）が対象単位領域（ｘ、ｙ）に選ばれていないと判定した場合は（ＮＯ）、ステップＳ３２４の処理へ戻る。
【０１２０】
（ステップＳ３３０）
演算処理装置８２は、乾燥対象エリアに単位領域（ｘ、ｙ）があるかどうかを判定する。演算処理装置８２が、乾燥対象エリアに単位領域（ｘ、ｙ）があると判定した場合（ＹＥＳ）、ステップＳ３２４の処理へ戻る。このとき、あらかじめ設定された時間経過後に、ステップＳ３２４の処理へ戻るようにしてもよい。一方、演算処理装置８２が、乾燥対象エリアに単位領域（ｘ、ｙ）がないと判定した場合（ＮＯ）、除湿運転処理を終了する。
【０１２１】
以上、本実施の形態３に係る除湿機１００は、通過する空気中の水分を除去する蒸発器３１と、室内空気を吸い込み、蒸発器３１を通過後の除湿空気を室内に供給する送風装置２０と、を備えている。また、除湿空気の送風方向を変更する風向変更装置７０と、表面温度を非接触で検知する表面温度検知部６１と、蒸発器３１と配管で接続された圧縮機３３と、を備えている。そして、送風装置２０の送風可能領域を構成する複数の単位領域（ｘ、ｙ）それぞれの第一の表面温度Ｔ０（ｘ、ｙ）を検知し、第一の表面温度Ｔ０（ｘ、ｙ）と室内温度Ｔｒとの差が第一の閾値Ｔｔｈ１よりも低い単位領域（ｘ、ｙ）を乾燥対象エリアとする。そして、乾燥対象エリアの各単位領域（ｘ、ｙ）に対して、除湿空気の送風を開始する。そして、送風を開始してから第一の時間ｔ１経過後の乾燥対象エリアの各単位領域（ｘ、ｙ）の第二の表面温度Ｔ１（ｘ、ｙ）を検知する。そして、第一の表面温度Ｔ０（ｘ、ｙ）と第二の表面温度Ｔ１（ｘ、ｙ）との差が相対的に小さい乾燥対象エリアの単位領域（ｘ、ｙ）に送風される際の除湿空気の除湿量が、第一の表面温度Ｔ０（ｘ、ｙ）と第二の表面温度Ｔ１（ｘ、ｙ）との差が相対的に大きい乾燥対象エリアの単位領域（ｘ、ｙ）に送風される際の除湿空気の除湿量よりも多くなるように圧縮機３３の回転数Ｒ（ｘ、ｙ）を設定するものである。
【０１２２】
本実施の形態３に係る除湿機１００によれば、除湿空気の送風を開始する前の第一の表面温度と除湿空気の送風を開始した後の第二の表面温度との差が相対的に小さい乾燥対象エリアの単位領域（ｘ、ｙ）に送風される際の除湿空気の除湿量が、第一の表面温度Ｔ０（ｘ、ｙ）と第二の表面温度Ｔ１（ｘ、ｙ）との差が相対的に大きい乾燥対象エリアの単位領域（ｘ、ｙ）に送風される際の除湿空気の除湿量よりも多くなるように圧縮機３３の回転数Ｒ（ｘ、ｙ）を設定する。つまり、厚手の被乾燥物に対して薄手の被乾燥物よりも送風する除湿空気の除湿量を多くするため、厚手の被乾燥物を確実に乾かすことができる。
【０１２３】
また、本実施の形態３に係る除湿機１００は、除湿空気温度Ｔｄａを検知する吹出空気温度検知部６４を備えている。そして、乾燥対象エリアの各単位領域（ｘ、ｙ）の圧縮機３３の回転数Ｒ（ｘ、ｙ）が設定された後、第二の時間ｔ２経過後の乾燥対象エリアの各単位領域（ｘ、ｙ）の第三の表面温度Ｔ２（ｘ、ｙ）を検知する。そして、室内に供給される除湿空気温度Ｔｄａとの差が第二の閾値Ｔｔｈ２よりも小さい単位領域（ｘ、ｙ）を乾燥対象エリアから除外するものである。
【０１２４】
本実施の形態３に係る除湿機１００によれば、検知した被乾燥物の表面温度に基づいて乾いたかどうかを判定しているため、厚手の被乾燥物を確実に乾かすことができる。
【０１２５】
また、本実施の形態３に係る除湿機１００は、乾燥対象エリアの各単位領域（ｘ、ｙ）の圧縮機３３の回転数Ｒ（ｘ、ｙ）が設定された後、乾燥対象エリアの各単位領域（ｘ、ｙ）のうち、圧縮機３３の回転数Ｒ（ｘ、ｙ）が相対的に多い単位領域（ｘ、ｙ）から順番に除湿空気の送風を行うものである。
【０１２６】
本実施の形態３に係る除湿機１００によれば、厚手の衣類が存在する単位領域（ｘ、ｙ）から順番に除湿空気の送風を行うため、効率的に被乾燥物を乾燥させることができ、乾燥時間の短縮となる。
【符号の説明】
【０１２７】
１０  本体、２０  送風装置、３０  除湿装置、３１  蒸発器、３２  凝縮器、３３  圧縮機、３４  絞り装置、３５  冷凍サイクル回路、４０  蓄水装置、５１  吸気口、５２  風路、５３  吹出口、６１  表面温度検知部、６２  温度検知部、６３  湿度検知部、６４  吹出空気温度検知部、７０  風向変更装置、８１  記録装置、８２  演算処理装置、８３  計時装置、１００  除湿機、１００ａ  除湿機。
【図１】
2020092780.tif 000003
【図２】
2020092780.tif 000004
【図３】
2020092780.tif 000005
【図４】
2020092780.tif 000006
【図５】
2020092780.tif 000007
【図６】
2020092780.tif 000008
【図７】
2020092780.tif 000009
【図８】
2020092780.tif 000010
【図９】
2020092780.tif 000011
【図１０】
2020092780.tif 000012